【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
練習曲の演奏練習を行う多数のユーザー夫々の前回の練習から今回の練習までに使用された各サポート機能の使用量、前記練習曲に関する演奏技術の上達度を要素とする上達度関連情報を記憶する記憶手段と、
特定のユーザーに関する最新の上達度関連情報と、当該特定のユーザーの練習目標となる他のユーザーの上達度を要素とする上達度関連情報を含み予め決められた条件に該当する複数の上達度関連情報とに基づいて、前記特定のユーザーが前記各サポート機能を使用して演奏練習した場合に演奏技術の習得に必要と予測される予想練習量を取得する予想練習量取得手段と、
前記予想練習量取得手段により取得された予想練習量を前記特定のユーザーが使用する電子楽器に提供する予想練習量提供手段と
を備えた予想練習量提供装置。
【請求項２】
前記予想練習量取得手段は、
前記特定のユーザーの最新の上達度に対応する他のユーザーの第１の上達度を要素とする上達度関連情報と、前記特定のユーザーの練習目標となる上達度に対応する前記他のユーザーの第２の上達度を要素とする上達度関連情報を前記記憶手段から取得する上達度取得手段と、
特定のユーザーに関する最新の上達度関連情報と、前記上達度取得手段にて取得された前記他のユーザー夫々の上達関連情報との間における前記各サポート機能の使用量に着目した類似度をユーザー毎に取得する類似度取得手段と、
前記類似度取得手段により取得された類似度が最大であるユーザーの前記第１の上達度から前記第２の上達度までの上達度をそれぞれ要素とする一連の上達度関連情報を対象として、各々の上達度関連情報における前記各サポート機能の使用量を合計した合計使用量を取得する合計使用量取得手段と
を含み、
前記合計使用量取得手段により取得された合計使用量と、前記特定のユーザーの最新の上達度関連情報における前記各サポート機能の使用量との差分を、当該各サポート機能を使用した場合に予想される演奏技術の習得に要する練習量である前記予想練習量として取得する請求項１記載の予想練習量提供装置。
【請求項３】
前記特定のユーザーに関する最新の上達度関連情報、及び最新の上達度関連情報に先立ち取得された上達度関連情報の各々における上達度に基づいて前記特定のユーザーにおける演奏技術の上達能力を取得する第１の上達能力取得手段と、
前記他のユーザーに関する前記第１の上達度、及び前記第１の上達度を要素とする上達度関連情報に先立ち取得された１又は複数の所定の上達度に基づいて、前記他のユーザーにおける演奏技術の上達能力を取得する第２の上達能力取得手段と、
前記第１の上達能力取得手段により取得された前記特定のユーザーにおける演奏技術の上達能力の、前記第２の上達能力取得手段により取得された前記他のユーザーにおける演奏技術の上達能力に対する相対比率に基づいて、前記合計使用量取得手段により取得された合計使用量を補正する補正手段と
をさらに備え、
前記予想練習量取得手段は、前記補正手段による補正後の前記合計使用量と、前記特定のユーザーの最新の上達度関連情報におけるサポート機能の使用量との差分を、各サポート機能を使用した場合に予想される演奏技術の習得に要する練習量である前記予想練習量として取得する
を備えた請求項２記載の予想練習量提供装置。
【請求項４】
電子楽器は前記サポート機能を複数備え、
前記記憶手段は、前記上達度関連情報として、前記電子楽器により取得されたサポート機能の種類毎の使用量、練習曲に関する演奏技術の上達度を要素とする上達度関連情報を記憶し、
前記予想練習量取得手段は、複数のサポート機能の各々を使用した場合に予想される演奏技術の習得に要する練習量である前記予想練習量をそれぞれ取得し、
前記予想練習量提供手段は、前記予想練習量取得手段により取得されたサポート機能の種類毎の予想練習量を前記特定のユーザーが使用する電子楽器に提供する請求項１又は２，３記載の予想練習量提供装置。
【請求項５】
前記記憶手段から、前記他のユーザーに関する、前記特定のユーザーの最新の上達度関連情報における上達度に対応する第１の上達度から、練習目標となる上達度に対応する第２の上達度までの上達度をそれぞれ要素とする同一ユーザーに関する一連の上達度関連情報を１又は複数組検索する検索手段と、
前記検索手段により検索された１又は複数組の一連の上達度関連情報に基づいて、サポート機能の種類毎の有効性を判断する判断手段と
をさらに備え、
前記予想練習量提供手段は、前記予想練習量取得手段により取得されたサポート機能の種類毎の予想練習量を、前記判断手段により判断された有効性に応じたサポート機能の種類毎の推薦順と共に前記特定のユーザーが使用する電子楽器に提供する請求項４記載の予想練習量提供装置。
【請求項６】
練習曲の演奏練習を行う多数のユーザー夫々の前回の練習から今回の練習までに使用された各サポート機能の使用量、前記練習曲に関する演奏技術の上達度を要素とする上達度関連情報を記憶手段に記憶する工程と、
特定のユーザーに関する最新の上達度関連情報と、当該特定のユーザーの練習目標となる他のユーザーの上達度を要素とする上達度関連情報を含み予め決められた条件に該当する複数の上達度関連情報とに基づいて、前記特定のユーザーが前記各サポート機能を使用して演奏練習した場合に演奏技術の習得に必要と予測される予想練習量を取得する予想練習量取得工程と、
前記取得された予想練習量を前記特定のユーザーが使用する電子楽器に提供する予想練習量提供工程と
を含む予想練習量提供方法。
【請求項７】
コンピュータを、
練習曲の演奏練習を行う多数のユーザー夫々の前回の練習から今回の練習までに使用された各サポート機能の使用量、前記練習曲に関する演奏技術の上達度を要素とする上達度関連情報を記憶する記憶手段と、
特定のユーザーに関する最新の上達度関連情報と、当該特定のユーザーの練習目標となる他のユーザーの上達度を要素とする上達度関連情報を含み予め決められた条件に該当する複数の上達度関連情報とに基づいて、前記特定のユーザーが前記各サポート機能を使用して演奏練習した場合に演奏技術の習得に必要と予測される予想練習量を取得する予想練習量取得手段と、
前記予想練習量取得手段により取得された予想練習量を前記特定のユーザーが使用する電子楽器に提供する予想練習量提供手段と
して機能させることを特徴とするプログラム。
【請求項８】
請求項１記載の予想練習量提供装置と、演奏技術の習得を助けるサポート機能を備えた複数の電子楽器とから構成され、
前記複数の電子楽器は、
ユーザーによる練習曲の練習に際し、ユーザーに関する情報であって、前回の練習から今回の練習までに使用されたサポート機能の使用量、練習曲に関する演奏技術の上達度を要素とする上達度関連情報を個別に取得する情報取得手段と、
前記情報取得手段により取得された上達度関連情報を前記予想練習量提供装置に供給する供給手段と
を備えたことを特徴とする予想練習量提供システム。
【請求項９】
演奏技術の習得を助けるサポート機能を備え、請求項１乃至５のいずれかに記載の予想練習量提供装置から予想練習量を取得する電子楽器であって、
ユーザーによる練習曲の練習に際し、ユーザーに関する情報であって、前回の練習から今回の練習までに使用されたサポート機能の使用量、練習曲に関する演奏技術の上達度を要素とする上達度関連情報を個別に取得する情報取得手段と、
前記情報取得手段により取得された上達度関連情報を前記予想練習量提供装置に供給する供給手段と、
を備えたことを特徴とする電子楽器。
【手続補正２】
【補正対象書類名】明細書
【補正対象項目名】発明の名称
【補正方法】変更
【補正の内容】
【発明の名称】予想練習量提供装置、予想練習量提供方法、予想練習量提供システム、プログラム、並びに電子楽器
【手続補正３】
【補正対象書類名】明細書
【補正対象項目名】０００７
【補正方法】変更
【補正の内容】
【０００７】
本発明は、かかる従来の課題に鑑みてなされたものであり、演奏技術の習得を助けるサポート機能が用意されている電子楽器のユーザーに対し、任意の時点で予想される、サポート機能を使用して練習する場合の演奏技術の習得に要する予想練習量を知らせる予想練習量提供装置、予想練習量提供方法、予想練習量提供システム、プログラム、並びに電子楽器を提供することを目的とする。